(57)【要約】【課題】電気工事が不要で容易に設置することができ、暗所において方向を誘導して歩行者の安全性を高めることのできる手すりを提供する。【解決手段】本発明の手すり１は、固定具３によって壁面５に固定され、長手方向に沿って導光部２１を有する手すり本体２と、この手すり本体２とは別体で形成され、手すり本体２の端部に取り付けられるエンドユニット４とを備える。エンドユニット４は、一方に開口して手すり本体２の端部に着脱可能な嵌入凹部を有し、エンドユニット４内部には、導光部２１を手すり本体２の端部から照射しうる光源４２、および光源４２に供給される電源電池４３が内蔵される。そして、このエンドユニット４が固定具３で支持された手すり本体２の端部に装着され、光源４２により導光部２１を光らせて手すり位置を知らせうる構成である。また、エンドユニット４内にエンドユニット自体を発光させるための第２光源４７を備えてもよい。【選択図】図１
2007162373.tif 000002
【特許請求の範囲】
【請求項１】
固定具によって壁面に固定され、長手方向に沿って導光部を有する手すり本体と、この手すり本体とは別体で形成され、手すり本体の端部に取り付けられるエンドユニットとを備え、
前記エンドユニットは、手すり本体の端部に着脱可能な凹部を有し、エンドユニット内部には、前記導光部を手すり本体の端部から照射しうる光源、および光源に供給される電源電池が内蔵され、このエンドユニットが固定具で支持された手すり本体の端部に装着されるとともに、光源により導光部を光らせて手すり位置を知らせうることを特徴とする手すり。
【請求項２】
エンドユニットには、光源を制御する点灯制御手段と、手すり本体周辺の人の存否を検知して前記点灯制御手段に信号を出力する人感知センサと、周辺環境照度を検知する照度センサとが備えられ、
前記点灯制御手段は、照度センサにより検知された周辺照度が規定値以下であり、かつ人感知センサによって手すり本体周辺の人の存在が検知されると、前記光源を点灯させる一方、人の存在が検知されなくなると前記光源を消灯させることを特徴とする請求項１に記載の手すり。
【請求項３】
エンドユニットに内蔵される光源は、手すり本体の導光部の端部に対応する位置に配置された発光ダイオードであることを特徴とする請求項１または請求項２に記載の手すり。
【請求項４】
エンドユニットは透光性を有する合成樹脂製のケーシングを有し、ケーシングを発光させるための第２の光源がエンドユニットに内蔵されていることを特徴とする請求項１〜請求項３のいずれかに記載の手すり。
【発明の詳細な説明】
【技術分野】
【０００１】
本発明は、一般家庭や公共施設などの廊下、階段、玄関等の歩行路に設置される手すりに関する。
【背景技術】
【０００２】
従来から建物の壁面に設けられる手すりに、光源を納めてインテリアや景観を演出するということがなされることがある。また、最近では病院や公共施設、高齢者住宅などの廊下および階段等の歩行路において、手すりを設置し、歩行を補助できるようにすることが一般的になってきている。手すりは通常、木製やスチール製の棒状体で構成され、歩行者の腰の高さに合わせて設置され、手すりを掴んで体を支えることのできるに足る十分な強度が要求される。
【０００３】
また、特に夜間の室内照明が消された暗いところを歩行するときなどには、手すりで方向性を得ながら歩行することが好ましいが、手探りで照明器具を点灯させるなどして手すり位置を確認しなければならない。そこで、照明器具を点灯させなくても手すりを光らせることで手すり位置を知らせ、歩行者を誘導するように意図されたものもある。
【０００４】
このような手すりとしては、例えば特許文献１に開示された技術がある。特許文献１の手すりは、手すり下部に発光ダイオードが配設され、両端部の制御部材にセンサ類、制御回路が搭載されて、階段の壁面に設けられている。そして、歩行者が階段を上がるために近づくとセンサが働いて発光ダイオードが点灯し、これにより歩行者は明るくなった階段を手すりを伝って降りることができるようになっている。
【特許文献１】特開２００５−１５８３１８号公報
【発明の開示】
【発明が解決しようとする課題】
【０００５】
上記従来例の手すりは、壁体内を通して他所から配線を引き回して発光ダイオードやセンサ類などの電源を確保する必要があり、専門の作業者による電気工事が必要になり、既設の手すりに後付けあるいは置換えるということはできないものであった。また、手すり端部の制御部材を収納しているハウジングが手すりを壁面に支持する構成であるので、この制御部材を収納しているハウジング自体に相当な強度をもたせなければならなかった。そうすると、この手すり端部に取り付ける制御部材の重量が増し、コストがかかる。また、固定具の取り付けには専用の工具と専門技術・知識が必要となり、一般の人が容易に取り付けることができない状況であった。加えて、手すりを支持する固定具を取り付ける壁面にも相当の強度が必要になるので、設置場所も制限されるという問題点もあった。
【０００６】
そこで本発明は、上記のような問題点にかんがみてなされたものであり、電気工事や大がかりな取り付け工事が不要で容易に設置することができ、暗所において方向を誘導して歩行者の安全性を高めることのできる手すりを提供するものである。
【課題を解決するための手段】
【０００７】
上記した目的を達成するため、本発明に係る手すりは、固定具によって壁面に固定され、長手方向に沿って導光部を有する手すり本体と、この手すり本体とは別体で形成され、手すり本体の端部に取り付けられるエンドユニットとを備え、前記エンドユニットは、手すり本体の端部に着脱可能な凹部を有し、エンドユニット内部には、前記導光部を手すり本体の端部から照射しうる光源、および光源に供給される電源電池が内蔵され、このエンドユニットが固定具で支持された手すり本体の端部に装着されるとともに、光源により導光部を光らせて手すり位置を知らせうることを特徴としている。
【０００８】
この構成によれば、光源を備えるエンドユニットを軽量化することが可能であり、エンドユニットを手すり本体の端部に装着することによって、手すり本体の導光部を照らし出して手すり位置を歩行者に知らせることができる。また、エンドユニットには電源電池も内蔵されているので、手すり本体の端部にエンドユニットを取り付けるだけで手すりを明るく浮かび上がらせることができる。したがって、壁体内を通して他所から電源をとる必要もなく、電気工事や大がかりな設置工事がまったく不要であるので、専門の知識や技術を有する作業者でなくとも極めて容易に取付作業を行うことができる。
【０００９】
また、本発明に係る手すりは、前記構成において、エンドユニットに、光源を制御する点灯制御手段と、手すり本体周辺の人の存否を検知して前記点灯制御手段に信号を出力する人感知センサと、周辺環境照度を検知する照度センサとが備えられ、前記点灯制御手段は、照度センサにより検知された周辺照度が規定値以下であり、かつ人感知センサによって手すり本体周辺の人の存在が検知されると、前記光源を点灯させる一方、人の存在が検知されなくなると前記光源を消灯させるように構成されることが好ましい。
【００１０】
これにより、手すりの設置されている場所が暗い場合に、歩行者が通るときだけ、光源を点灯させて手すり本体を照らし出し、手すりの存在を示すことができる。したがって、昼間や、夜間でも照明が点いている間は無駄に光源を点灯させずに済み、省エネルギー効果も期待できる。
【００１１】
また、本発明に係る手すりは、前記構成において、エンドユニットに内蔵される光源としては、手すり本体の導光部の端部に対応する位置に配置された発光ダイオードであることが好ましい。
【００１２】
このように構成されることで、光源の消費電力が抑えられて、一般家庭などにおいても容易に設置でき、長期的に良好に使用することができる。
【００１３】
さらに、本発明に係る手すりは前記構成において、エンドユニットが透光性を有する合成樹脂製のケーシングを有し、ケーシングを発光させるための第２の光源がエンドユニットに内蔵されていてもよい。
【００１４】
これにより、歩行者の通る手すりの設置されている場所が暗いときに光源を点灯させるようにすれば、エンドユニット自体を発光させて歩行者に示すことができるので、手すり位置をよりわかりやすくなり、かかる暗い場所での歩行の安全性を一層高めることが可能になる。
【発明の効果】
【００１５】
上記のように構成される本発明の手すりによれば、手すりの設置には電気工事が不要であり、専門的な技術を要することなくだれでも極めて容易に設置作業を行うことができる。また、上記構成の手すりにおいてはエンドユニットを軽量化および簡易化でき、製造コストの低減化を可能にする。これにより、かかる手すりを一般家庭などでも好適に利用することができ、暗所において手すり位置を知らせ、方向を誘導して歩行者の安全性を高めることが可能になる。
【発明を実施するための最良の形態】
【００１６】
以下、本発明に係る手すりを実施するための最良の形態について、図面を参照しつつ説明する。
【００１７】
図１〜図３は本発明の手すりの一実施例を示し、図１は手すりの正面図、図２は手すりを下側から見た底面図、図３は手すりの端部を示す断面模式図である。
【００１８】
本発明の手すり１は、手すり本体２と固定具３とエンドユニット４とを備えている。手すり本体２は、例えば合成樹脂あるいは合成樹脂に木粉が充填された合成木材、または天然木材などから形成された断面円形または楕円形の棒状体であり、固定具３によって壁面５に設置固定される。
【００１９】
固定具３は、手すり本体２の外周面にボルト・ナット等の止着具を用いて取り付けられる環状の支持部３１と、支持部から延設されて壁面５に固定される固定部３２を備えている。この固定具３は、手すり本体２の長さに応じて手すり本体２を支持しうる適当な箇所に配置される。
【００２０】
手すり本体２の長手方向には、溝状の導光部２１が形成されている。例示の形態では、導光部２１は、設置された手すり本体２の正面側（壁面５の対向面の反対側）に形成されており、歩行者から容易に視認可能な位置となっている。溝状の導光部２１には、透明または半透明の透光性を有するアクリル樹脂やウレタン樹脂等の合成樹脂材料が充填され、あるいはかかる合成樹脂材料からなるカバー材が添設されて、後述する光源４２からの光を受けて導光部２１の全体が発光しうるようになっている。
【００２１】
エンドユニット４は、合成樹脂製のケーシング４０を有し、手すり本体２とは別体で形成されている。例示のエンドユニット４のケーシング４０は上面視略扇形状に形成され、壁面５と手すり本体２の端部とを緩やかに接続する形状となっている。そして、このケーシング４０の一側面には、手すり本体２の端部が嵌合しうる嵌入凹部４１が形成されており、手すり本体２の端部に取り付け可能な構成となされている。
【００２２】
図３に示すように、嵌入凹部４１は、ちょうど手すり本体２の端部における断面形とほぼ同寸の嵌め合い形状に形成されて、手すり本体２の一端に対して適宜着脱可能な凹部となされている。
【００２３】
かかるエンドユニット４のケーシング４０の内部には、導光部２１を手すり本体２の端部から照射しうる光源４２が内蔵されている。この光源４２としては、発光ダイオードを用いることが好ましく、発光色は特に限定されるものではないが、暗所において手すり１の位置を知らせるためには、少なくとも２０ｌｘ程度の照度を有することが好ましい。また、光源４２は、手すり本体２の導光部２１の端部に対向配置され、導光部２１の端部から長手方向に照射するように設けられている。
【００２４】
また、例示の形態では、第２光源４７がケーシング４０内に納められている。この第２光源４７も、光源４２と同様に発光ダイオードが用いられることが好ましい。そして、第２光源４７は、ケーシング４０内からケーシング４０の内側を照らしてケーシング４０自体を発光させることができるように配設されている。したがって、このように第２光源４７を納めたケーシング４０は、透光性を有する透明または半透明の合成樹脂材料からなることが望ましい。
【００２５】
さらに、エンドユニット４のケーシング４０内には、これらの光源４２および第２光源４７の点灯や消灯を制御するための点灯制御手段である制御部４４と、手すり本体２の周囲における人の存否を検知して制御部４４に信号を出力する人感知センサ４５と、手すり本体２の周辺環境照度を検知する照度センサ４６とが備えられている。
【００２６】
人感知センサ４５および照度センサ４６は、手すり本体２に取り付けられたエンドユニット４の正面側（壁面５の対向面の反対側）に配設されている。また、制御部４４は、人感知センサ４５および照度センサ４６を駆動させる電気回路を備え、照度センサ４６により検知された周辺照度が規定値以下であり、かつ人感知センサ４５によって手すり本体２の周辺における人の存在が検知されたとき、光源４２を点灯させる一方、手すり本体２の周辺に人が検知されなくなると光源４２を消灯させるように機能する。
【００２７】
また、エンドユニット４のケーシング４０には、光源４２、第２光源４７および各センサ４５，４６等に電源を供給する電源電池４３が内蔵されている。したがって、手すり１では、光源４２等のための電源をエンドユニット４の外部から引き回す必要がないように構成されている。
【００２８】
本発明では、このようなエンドユニット４を、固定具３で支持された手すり本体２の一端に取り付けることにより、必要時に導光部２１を光らせたり、手すり１の端部を光らせたりして、手すり位置を歩行者に知らせることができる。
【００２９】
すなわち、周辺照度が規定値以下のときに手すり１に歩行者が近づいてくると、人感知センサ４５が歩行者の存在を検知してエンドユニット４の光源４２および第２光源４７を自動的に点灯させる。これにより、歩行者が手すり１に到達する前に導光部２１が照らし出されて、手すり１の存在を歩行者に知らせることができる。したがって、暗い中を歩行者が通行していても、手すり１を使用して安全に歩行を続けることができ、手すり位置や通路の方向性を把握することができる。
【００３０】
また、手すり１の設置されている場所が暗く、歩行者が通行しようとしているときだけ、光源４２を点灯させて手すり１の存在を示すことができるので、昼間や、夜間でも照明が点いている間は無駄に光源４２を点灯させずに済み、省エネルギー効果が高い。
【００３１】
また、手すり１では、エンドユニット４に電源電池４３が内蔵されているので、使用者は手すり本体２の端部にエンドユニット４を取り付けるだけでよいという利点がある。そのため、壁体内を通して配線を引き回し、他所から手すり１のために電源をとる必要がなく、電気工事がまったく不要であるので、専門の作業者でなくとも極めて容易に取付作業を行うことができる。
【００３２】
このため、住宅のリフォーム時などに室内の壁面５に手すり１を設けるようにして、歩行安全性を高めるように改修することも容易である。また、本発明において、手すり本体２を壁面に固定する固定具３は手すり本体２の断面形状に対応するものであれば、市販品を使用することが可能である。すなわち、あらかじめ設置されている手すりを、本発明の手すり１に付け替える場合などは、既設の手すり棒を手すり本体２に交換して、手すりを固定していた固定具についてはそのまま継続して使用することも可能である。したがって、手すり１を設置するための大がかりな取付工事が不要であり、設置コストも抑えることができる。
【００３３】
また、エンドユニット４は手すり本体２に対して着脱自在であるので、前記のように容易に取り付けられることに加えて、不要になれば手すり本体２の端部からエンドユニット４を引き抜いて、取り外すことも容易である。
【００３４】
したがって、エンドユニット４の嵌入凹部４１の形状と手すり端部の形状が共通であれば、既設の手すりにもエンドユニット４を装着して、暗所での歩行の安全性を高めるようにすることが可能になる。
【００３５】
さらに、例示した手すり１においては、手すり本体２の一端にエンドユニット４を装着する場合を示したが、手すり本体２が複数の固定具３により壁面５に支持されて、手すり本体２の両端に、上記と同様のエンドユニット４を装着してもよい。これにより、歩行者が手すり１の両端にどちらの方向から近づいてきても、それを検知して光源４２を点灯させて、手すり１を照らし出すことが可能になる。
【産業上の利用可能性】
【００３６】
本発明は、公共施設や一般住宅等の廊下、階段、玄関等の歩行路に設置して、暗い中を歩行する際の安全性を高めるのに利用することができる。
【図面の簡単な説明】
【００３７】
【図１】本発明に係る手すりの正面図である。
【図２】本発明に係る手すりの底面図である。
【図３】本発明に係る手すりのエンドユニット部分を示す断面模式図である。
【符号の説明】
【００３８】
１    手すり
２    手すり本体
２１  導光部
３    固定具
４    エンドユニット
４０  ケーシング
４１  嵌入凹部
４２  光源
４３  電源電池
４４  制御部（点灯制御手段）
４５  人感知センサ
４６  照度センサ
４７  第２光源
５    壁面
【図１】
2007162373.tif 000003
【図２】
2007162373.tif 000004
【図３】
2007162373.tif 000005